(57)【要約】【課題】排出従動ローラに付着した液体の記録用紙１８０への付着を防止する。【解決手段】記録用紙１８０を搬送方向に搬送する搬送部１５０と、記録用紙１８０の被記録面にインクを噴射する記録ヘッド１７２と、被記録面に接して回転する排出従動ローラを含み、インクの付着した記録用紙１８０を排出する排出部１６０と、排出従動ローラに付着したインクを除去するインク除去機能を所定のタイミングで自動的に実行させる制御部３００とを備える。【選択図】図６
2006297723.tif 000002
【特許請求の範囲】
【請求項１】
被記録物を搬送方向に搬送する搬送部と、
前記被記録物の被記録面に液体を噴射する液体噴射ヘッドと、
前記被記録面に接して回転する排出従動ローラを含み、前記液体の付着した前記被記録物を排出する排出部と、
前記排出従動ローラに付着した前記液体を除去する液体除去動作を所定のタイミングで自動的に実行させる制御部と
を備える液体噴射装置。
【請求項２】
前記タイミングが、前記液体噴射ヘッドのノズルからの液体噴射の状況をチェックするノズルチェック時を含む請求項１に記載の液体噴射装置。
【請求項３】
前記タイミングが、前記液体噴射ヘッドにより液体が噴射された前記被記録物を排出部により排出した記録動作の終了時を含む請求項１に記載の液体噴射装置。
【請求項４】
前記タイミングが、前記液体噴射装置それ自体の電源が遮断される電源遮断時を含む請求項１に記載の液体噴射装置。
【請求項５】
被記録物を搬送方向に搬送する搬送部と、
前記被記録物の被記録面にインクを吐出する記録ヘッドと、
前記被記録面に接して回転する排出従動ローラを含み、前記インクの付着した前記被記録物を排出する排出部と、
前記排出従動ローラに付着した前記インクを除去する液体除去動作を所定のタイミングで自動的に実行させる制御部と
を備える記録装置。
【請求項６】
被記録物を搬送方向に搬送する搬送部と、前記被記録物の被記録面に液体を噴射する液体噴射ヘッドと、前記被記録面に接して回転する排出従動ローラを含み前記液体の付着した前記被記録物を排出する排出部とを備えた液体噴射装置において、
所定のタイミングで、制御部が自動的に、前記排出従動ローラに付着した前記液体を除去する液体除去動作の実行を指示する液体除去方法。
【請求項７】
被記録物を搬送方向に搬送する搬送部と、前記被記録物の被記録面にインクを吐出する記録ヘッドと、前記被記録面に接して回転する排出従動ローラを含み前記インクの付着した前記被記録物を排出する排出部とを備えた液体噴射装置において、
所定のタイミングで、制御部が自動的に、前記排出従動ローラに付着した前記インクを除去する液体除去動作の実行を指示するインク除去方法。
【発明の詳細な説明】
【技術分野】
【０００１】
本発明は、液体噴射装置および記録装置並びにこれら装置で実施できる液体除去方法に関する。より詳細には、本発明は、シート状または板状の被記録物を搬送しつつ、この被記録物に対して液体を吐出させて記録動作を行う液体噴射装置および記録装置と、これらの装置においてその排出従動ローラに付着した液体を除去する方法とに関する。
【背景技術】
【０００２】
インクジェット式記録装置等の多くの液体噴射装置では、被記録物の給送、搬送または排出に、互いに連れ回る対になったローラを備えた搬送機構が用いられる。ここで、ローラのうちの少なくともひとつは何らかの駆動手段により回転駆動される駆動ローラである。また、駆動ローラ以外のローラは、駆動ローラの回転または被記録物の搬送に従って自由回転できるように装着された従動ローラである。
【０００３】
更に、従動ローラには、被記録物を挟んで駆動ローラに対向した位置に配置されて被記録物を駆動ローラに押し付ける対向従動ローラと、駆動ローラとは別の位置で単独で被記録物に接して、被記録物の変移を阻止する独立従動ローラとが含まれている。被記録物は、一部の対向従動ローラによって駆動ローラに押し付けられ、駆動ローラの回転に従って搬送される。
【０００４】
この種の液体噴射装置において被記録物の排出に用いられる排出従動ローラは、液体噴射ヘッドから噴射された液体が既に付着した被記録物の被記録面に接する。このため、排出従動ローラには、未乾燥の液体の一部が付着することがある。また、排出従動ローラに付着した液体はやがて乾燥固化し、そこに更に液体が付着する。従って、液体噴射装置の稼働時間が蓄積されるにつれて、搬送従動ローラには液体の残滓が蓄積される。
【０００５】
このように液体またはその残滓が排出従動ローラに付着していると、液体噴射装置の動作に伴う振動、被記録物の変更による印刷条件の変化等、何らかの環境条件が変化したときに、排出従動ローラに付着していた液体またはその残滓が被記録物の被記録面に付着してしまう場合がある。いうまでもなく、このような現象はユーザに記録不良または汚れと認識されてしまうので、排出従動ローラに付着した液体は記録動作に先立って取り除くことが求められる。
【０００６】
下記特許文献１には、排出従動ローラに付着したインクの除去に関する技術が開示されている。特許文献１によると、インクジェット記録装置において、記録動作を行わずに紙押さえローラを低速で回転させ、その間に紙押さえローラにクリーニング部材を接触させることにより紙押さえローラに付着したインクを除去できるとされている。なお、特許文献１でいう紙押さえローラは、印刷後に被記録面に当接する排出従動ローラに相当する。
【特許文献１】特開２００２−００３００３号公報
【発明の開示】
【発明が解決しようとする課題】
【０００７】
上記のように、排出従動ローラに付着したインクを除去する手段が提供されることにより、排出従動ローラから被記録物へのインクまたはその残滓の再付着が防止できるようになった。しかしながら、排出従動ローラからのインク除去作業をいつ行うかはユーザの判断に委ねられている。このため、ユーザの判断が遅れてインク除去作業の実施時期の間隔が長くなると、結局は搬送従動ローラから被記録物へのインクの付着が発生してしまう場合がある。また逆に、インク除去作業の頻度が必要以上に多くなり、ユーザの保守の負担が増加してしまう場合もある。
【課題を解決するための手段】
【０００８】
上記課題を解決するために、本発明の第１の形態として、被記録物を搬送方向に搬送する搬送部と、被記録物の被記録面に液体を噴射する液体噴射ヘッドと、被記録面に接して回転する排出従動ローラを含み、液体の付着した被記録物を排出する排出部と、搬送従動ローラに付着した液体を除去する液体除去動作を所定のタイミングで自動的に実行させる制御部とを備える液体噴射装置が提供される。これにより、ユーザがインク除去作業の実施時期を意識することなく排出従動ローラが清浄に保たれるので、高品質な記録動作ができる。また、ユーザの保守作業の負担も軽減される。
【０００９】
上記液体噴射装置において、上記タイミングは、前記液体噴射ヘッドのノズルからの液体噴射の状況をチェックするノズルチェック時、前記液体噴射ヘッドにより液体が噴射された前記被記録物を排出部により排出した記録動作の終了時、及び、前記液体噴射装置それ自体の電源が遮断される電源遮断時のいずれかであってもよい。これにより、記録動作の時間を延ばすことなく、排出従動ローラが清浄に保たれる。
【００１０】
本発明の第２の形態として、被記録物を搬送方向に搬送する搬送部と、被記録物の被記録面にインクを吐出する記録ヘッドと、被記録面に接して回転する排出従動ローラを含み、インクの付着した被記録物を排出する排出部と、搬送従動ローラに付着したインクを除去する液体除去動作を所定のタイミングで自動的に実行させる制御部とを備える記録装置が提供される。これにより、記録装置においても、ユーザがインク除去作業の時期を意識することなく排出従動ローラが清浄に保たれるので、高品質な記録動作ができる。また、ユーザの保守作業の負担も軽減される。
【００１１】
本発明の第３の形態として、液体除去方法であって、被記録物を搬送方向に搬送する搬送部と、前記被記録物の被記録面に液体を噴射する液体噴射ヘッドと、前記被記録面に接して回転する排出従動ローラを含み前記液体の付着した前記被記録物を排出する排出部とを備えた液体噴射装置において、所定のタイミングで、制御部が自動的に、前記排出従動ローラに付着した前記液体を除去する液体除去動作の実行を指示する。これにより第１の形態と同様の効果を得ることができる。
【００１２】
本発明の第４の形態として、インク除去方法であって、被記録物を搬送方向に搬送する搬送部と、前記被記録物の被記録面にインクを吐出する記録ヘッドと、前記被記録面に接して回転する排出従動ローラを含み前記インクの付着した前記被記録物を排出する排出部とを備えた液体噴射装置において、所定のタイミングで、制御部が自動的に、前記排出従動ローラに付着した前記インクを除去する液体除去動作の実行を指示する。これにより、第２の形態と同様の効果を得ることができる。
【００１３】
なお、上記の発明の概要は、本発明の必要な特徴の全てを列挙したものではなく、これらの特徴群のサブコンビネーションもまた、発明となりうる。
【発明を実施するための最良の形態】
【００１４】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１５】
図１は、液体噴射装置の一例であるインクジェット式記録装置１０を概観する斜視図である。同図に示すように、このインクジェット式記録装置１０は、装置全体の基部となる下ケース１００と、下ケース１００と共に筐体を形成する上ケース１１０と、下ケース１００の後部に装着されたペーパサポート１２０と、下ケース１００の前面に形成された排出トレー１３０とを備えている。また、このインクジェット式記録装置１０は、下ケース１００内に、水平に配置されたプラテン１４０と、プラテン１４０の後方に配置された搬送部１５０と、プラテン１４０の前方に配置された排出部１６０とを内部に備えている。更に、プラテン１４０の上方には、キャリッジ１７０が配置されている。
【００１６】
上記のようなインクジェット式記録装置１０では、ペーパサポート１２０に収容された記録用紙１８０が、搬送部１５０により１枚ずつプラテン１４０上に送り込まれ、排出部１６０により排出トレー１３０に送り出される。また、プラテン１４０の上方で、図示していないキャリッジモータにより駆動されたキャリッジ１７０が、記録用紙１８０の搬送方向と直交する方向に往復移動する。
【００１７】
従って、記録用紙１８０の搬送とキャリッジ１７０の往復移動を交互に行うことにより、記録用紙１８０の上面全体をキャリッジ１７０で走査できる。また、キャリッジ１７０は、その下面に液体噴射ヘッドとしての記録ヘッドを備え、記録用紙１８０上面の任意の領域に対してインクを吐出して付着させることができる。
【００１８】
図２は、インクジェット式記録装置１０における記録用紙１８０の搬送機構２０を抜き出して示す分解斜視図である。なお、図１に示したインクジェット式記録装置１０との関係を判りやすくするために、記録用紙１８０の搬送に直接には関与しないプラテン１４０およびキャリッジ１７０も描き加えている。
【００１９】
同図に示すように、搬送機構２０は、インクジェット式記録装置１０の後方に露出したペーパサポート１２０と、ペーパサポート１２０の下端に隣接して配置された給送ローラ２１０と、給送ローラ２１０の前方に順次配置された搬送駆動ローラ２２０、プラテン１４０および排出駆動ローラ２３０とを含む。ここで、給送ローラ２１０はモータ２４０により回転駆動されている。また、搬送駆動ローラ２２０および排出駆動ローラ２３０も、図示されていないモータにより回転駆動されている。
【００２０】
給送ローラ２１０は、記録用紙１８０の給送経路を挟んで対向する給送従動ローラ２１２と組み合わされ、給送部を形成している。即ち、給送部において、記録用紙１８０は給送従動ローラ２１２により給送ローラ２１０に押し付けられ、回転駆動される給送ローラ２１０との摩擦によりインクジェット式記録装置１０に取り込まれ、更に、搬送方向の下流に配置された搬送部１５０に給送される。
【００２１】
搬送駆動ローラ２２０は、記録用紙１８０の搬送経路を挟んで対向する搬送従動ローラ２２２と組み合わされ、搬送部１５０を形成している。搬送部１５０において、記録用紙１８０は搬送従動ローラ２２２により搬送駆動ローラ２２０に押し付けられ、回転駆動される搬送駆動ローラ２２０との摩擦により、プラテン１４０上に向かう搬送方向に搬送される。
【００２２】
プラテン１４０の下流側に形成された排出部１６０は、排出駆動ローラ２３０と複数の従動ローラとを備えている。排出駆動ローラ２３０は、一定の径を有する軸２３１と、それに対して部分的に装着された弾性ローラ２３３とを含んでおり、弾性ローラ２３３を装着された部分だけ径が大きい。
【００２３】
これに対して、従動ローラは、記録用紙１８０の排出経路を挟んで弾性ローラ２３３に対向して配置された対向従動ローラ２３２と、記録用紙１８０の被記録面上で弾性ローラ２３３とは異なる位置に配置された独立従動ローラ２３４とを含んでいる。ただし、対向従動ローラ２３２と独立従動ローラ２３４は、互いに同じ径の部材である。なお、以下の記載において、対向従動ローラ２３２と独立従動ローラ２３４とを併せて総称する場合は「排出従動ローラ」と記載する。
【００２４】
図３は、図２に示した矢印Ａ側から排出部１６０を見た様子を拡大して部分的に示す図である。同図に示すように、弾性ローラ２３３を装着されて径の拡大された部分には、弾性ローラ２３３に対向して配置された対向従動ローラ２３２が弾性ローラ２３３に接触している。
【００２５】
これに対して、弾性ローラ２３３を装着されていない部分では、独立従動ローラ２３４は、排出駆動ローラ２３０のいずれの部位にも接していない。従って、独立従動ローラ２３４は、記録用紙１８０に触れて、その搬送に従って回転する。
【００２６】
ここで、いずれの排出従動ローラも、共通のフレーム２３５により上方から支持されており、排出される記録用紙１８０に対しては上方から当接する。これは、各排出従動ローラが、記録用紙１８０の被記録面に当接することを意味する。
【００２７】
図４は、主に排出部１６０を、対向従動ローラ２３２と平行な鉛直面で切った縦断面図である。同図に示すように、対向従動ローラ２３２は、排出駆動ローラ２３０に装着された弾性ローラ２３３と共に記録用紙１８０を上下から挟んでいる。従って、記録用紙１８０は、対向従動ローラ２３２によって弾性ローラ２３３に押し付けられている。前述の通り排出駆動ローラ２３０は回転駆動されているので、排出駆動ローラ２３０の回転に従って、記録用紙１８０は図中の左側に向かって排出される。
【００２８】
ここで、排出部１６０が排出する記録用紙１８０には、図中で右側に部分的に見えるキャリッジ１７０の底部に装着された記録ヘッド１７２から吐出されたインクが付着している。従って、対向従動ローラ２３２は、インクの付着した記録用紙１８０の被記録面に当接することになる。また、この図には図示されていないが、独立従動ローラ２３４も、同様に記録用紙１８０の被記録面に当接する。
【００２９】
ただし、上記のような２種の排出従動ローラのうち独立従動ローラ２３４は、記録用紙１８０にその弾力性だけで押し付けられており、記録用紙１８０の表面には、当接部２３９の鋭利な先端が触れる。従って、記録用紙１８０に付着したインクが独立従動ローラ２３４に付着することは殆どない。
【００３０】
これに対して、対向従動ローラ２３２は、排出駆動ローラ２３０と協働して記録用紙１８０を挟んで排出するので、その当接部２３９は記録用紙１８０に強く押し当てられ、当接部２３９の先端は記録用紙１８０に貫入する。このため、対向従動ローラ２３２には、記録用紙１８０に付着していたインクが付着しやすい。
【００３１】
図５は、上記のようなインクジェット式記録装置１０において、対向従動ローラ２３２および独立従動ローラ２３４を含む排出従動ローラとして用いられる部材の形状を単独で示す図である。同図に示すように、排出従動ローラは、周囲に鋭利な複数の当接部２３９を形成された金属製円盤部２３８と、これを両側部から挟む一対の樹脂製円盤部２３６とから形成されている。また、中心には、樹脂製円盤部２３６および金属製円盤部２３８を貫通する軸穴２３７を有する。
【００３２】
このように、対向従動ローラ２３２および独立従動ローラ２３４に用いられる部材は、その周面に起伏を有すると共に、当接部２３９の先端は鋭く尖っている。従って、前記した特許文献１に記載されていたように周部にクリーニング部材を接触させながら回転させても、周面を隈なく拭うことは難しい。
【００３３】
上記のように構成された搬送機構２０を備えたインクジェット式記録装置１０では、まず、記録用紙１８０がペーパサポート１２０に積層されて備蓄される。記録動作が開始されると、まず、最上段の記録用紙１８０が、給送ローラ２１０と給送従動ローラ２１２に挟まれてインクジェット式記録装置１０の内部に取り込まれ、次いで、搬送駆動ローラ２２０および搬送従動ローラ２２２に挟まれてプラテン１４０上に送り出される。
【００３４】
一方、このインクジェット式記録装置１０においては、プラテン１４０の上方にキャリッジ１７０が配置されている。キャリッジ１７０の下面には記録ヘッド１７２が装着されており、記録動作においては、記録ヘッド１７２から、キャリッジ１７０の下方に向かってインクが吐出される。
【００３５】
従って、記録用紙１８０は、プラテン１４０上に位置している期間に、上方のキャリッジ１７０に設けられた記録ヘッド１７２から吐出されるインクを吹きつけられる。このとき、プラテン１４０は記録用紙１８０を下方から支持して、記録ヘッド１７２と記録用紙１８０との間隔を一定に維持する。
【００３６】
さらに、キャリッジ１７０の下を通過した記録用紙１８０は、やがて、排出駆動ローラ２３０および対向従動ローラ２３２に挟まれ、インクジェット式記録装置１０の外部へ送り出される。このとき、独立従動ローラ２３４は、記録用紙１８０に触れて、その排出に伴う移動に従って回転する。これらの一連の動作により、インクジェット式記録装置１０による記録動作が完了する。
【００３７】
上記の一連の記録動作において、排出従動ローラは、記録ヘッド１７２によりインクを付着された後の記録用紙１８０の被記録面に当接する。従って、記録用紙１８０に当接した時点で、そこに付着したインクが未乾燥であったり剥離した場合には、排出従動ローラにインクが付着してしまう。また、前述のように、排出従動ローラの周面には部分的に突出した当接部２３９が形成されているので、回転する排出従動ローラに固定したクリーニング部材を接触させても、付着したインクまたはその残滓を完全に取り除くことはできない。
【００３８】
これに対して、このインクジェット式記録装置１０では、記録用紙１８０を搬送することなく、排出駆動ローラ２３０を回転駆動させることができる。この状態では、排出部１６０に記録用紙１８０が存在していないので、対向従動ローラ２３２と排出駆動ローラ２３０とは互いに直接に接触しており、対向従動ローラ２３２に付着していたインクおよびその残滓は、排出駆動ローラ２３０の弾性ローラ２３３に転写されるか、当接部２３９の先端から径方向に中心に向かって押しのけられる。従って、対向従動ローラ２３２の当接部２３９は清浄になる。
【００３９】
図６は、このインクジェット式記録装置１０が実装する制御部３００の構造を模式的に示すブロック図である。同図に示すように、制御部３００は、ユーザ３０１から指示や記録データを受ける中央制御部３１０と、中央制御部３１０の制御の下にインクジェット式記録装置１０の各構成要素を制御する個別制御部３１１とを備えている。
【００４０】
また、中央制御部３１０は、上記ユーザ３０１からの指示および記録データの他に、インクジェット式記録装置１０に設けられた各種入出力との信号の受け渡しも行っている。即ち、インクジェット式記録装置１０に実装されたハードウェア・スイッチ３１２、印刷量カウンタ３１４、センサ類３１６等の各種入力部からの信号を受けると共に、表示部３８０等に返すメッセージの生成も行う。また、中央制御部３１０には、内蔵プログラム３１８も実装されており、ユーザ３０１からの指示があった場合、各種入力部から特定の条件を検知した場合等に、内蔵プログラム３１８を起動して、インクジェット式記録装置１０に特定の動作を自律的に実行させることもできる。
【００４１】
なお、ハードウェア・スイッチ３１２は、電源スイッチの他、機種に応じてインクジェット式記録装置１０に実装される機能を直接に起動し実行させる機能を有する。具体的には、実行中の記録動作を取り消すもの、強制的な排紙動作を実行するもの、インクジェット式記録装置１０単体での設定を行うもの等が例示できる。また、印刷量カウンタ３１４は、機種によって仕様が異なるが、搬送した記録用紙１８０の枚数、消費したインクの量等を監視してインクジェット式記録装置１０の実効的な稼働時間を蓄積している。さらに、センサ類３１６は、記録用紙１８０の有無、搬送経路上の記録用紙の位置、インクの量等、インクジェット式記録装置１０の各部の動作状態を監視している。
【００４２】
一方、個別制御部３１１において、搬送制御部３２０は、図２に示したインクジェット式記録装置１０の給送部３５０、搬送部１５０および排出部１６０を統合して制御している。この制御により、記録用紙１８０の給送、搬送および排出が実行される。
【００４３】
また、個別制御部３１１において、キャリッジ制御部３３０は、搬送制御部３２０による記録用紙１８０の給送、搬送および排出に呼応してキャリッジモータ３６０の動作を制御して、キャリッジ１７０の往復移動を実行または停止させている。また、記録動作の開始前または終了後は、キャリッジ１７０をホームポジションに復帰させる等、記録動作以外の動作においても、キャリッジ１７０の移動を制御している。
【００４４】
更に、個別制御部３１１において、記録ヘッド制御部３４０は、記録ヘッド駆動部３７０を制御して、キャリッジ１７０に装着された記録ヘッド１７２を動作させている。即ち、外部から入力された記録情報に基づくインクの吐出またはその停止の他に、インクの吐出量の制御、ノズルチェック動作、フラッシング動作の実行等を実現している。ここでノズルチェック動作とは、外部から受け取る記録情報とは別個に、記録ヘッド１７２のノズルから被記録物にインクを吐出して、インクの吐出の状況をチェックする動作である。また、フラッシング動作とは、外部から受け取る記録情報とは別個に、記録ヘッド１７２のノズルから、ホームポジションに配されたキャップへ向けてインクを吐出して、インクの詰りを解消したりメニスカスを整えたりする動作である。
【００４５】
前述したインク除去動作は、上記のような制御部３００に内蔵プログラム３１８として実装することができる。即ち、このインクジェット式記録装置１０のインク除去動作は、記録ヘッド１７２の動作を停止していることを除けば、記録用紙１８０の搬送経路自体は通常の記録動作と共通している。
【００４６】
このインクジェット式記録装置１０のインク除去動作においては、キャリッジ制御部３３０および記録ヘッド制御部３４０の動作の停止を指示する。従って、キャリッジモータ３６０は動作せず、キャリッジ１７０もホームポジションから移動しない。また、記録ヘッド１７２も動作しないので、インクは吐出されない。一方、搬送制御部３２０は、排出部１６０に動作を指示し、給送部３５０および搬送部１５０への動作の停止を指示する。従って、排出駆動ローラ２３０だけが回転駆動されるが、記録用紙１８０は供給されないので、対向従動ローラ２３２が排出駆動ローラ２３０に直接に接した状態で連れ回される。このように、インク除去動作は、インクジェット式記録装置１０に備えられた各機能を個別に制御することで実現できる。
【００４７】
更に、このインクジェット式記録装置１０では、中央制御部３１０の制御の下に、上記のようなインク除去動作が、下記の所定のタイミングで自動的に起動され、実行される。中央制御部３１０は、所定のタイミングの一つの例として、記録ヘッド１７２におけるノズルチェック動作の前または後に、インク除去動作を起動して実行させてもよい。また、中央制御部３１０は、所定のタイミングの他の例として、記録ヘッド１７２におけるフラッシング動作と並行して、インク除去動作を起動して実行させてもよい。また、中央制御部３１０は、所定のタイミングの他の例として、記録動作が終わる毎にインク除去動作を自動実行させることもできる。更に、中央制御部３１０は、所定のタイミングの他の例として、ハードウェア・スイッチ３１２によりインクジェット式記録装置１０の電源を遮断すべき旨の指示を受けたときに、インク除去動作を自動的に実行した後に電源を遮断させることもできる。更にまた、中央制御部３１０は、これらのインク除去動作を実行する上記タイミングのいくつかを同時に実装し、実装した各タイミングにおいてインク除去動作を自動的に実行させることもできる。
【００４８】
なお、ここまでの説明では、インク除去動作として、排出従動ローラを排出駆動ローラ２３０に接触させた状態で回転させる動作を例に挙げて説明したが、インク除去動作の形態はこれに限られない。インク除去動作の他の形態として、被記録物を白紙のまま排出してもよい。
【００４９】
以上詳細に説明したように、この発明に係る液体噴射装置では、搬送従動ローラに付着した液体またはその残滓を、記録用紙を用いて除去する機能を有している。従って、液体除去のために搬送従動ローラを露出させる必要がない。また、これにより清浄な搬送従動ローラで記録動作を実施できるので、高品質な画像記録ができる。
【００５０】
なお、インクジェット式記録装置を例にあげて説明したが、この発明が適用できる液体噴射装置の具体例としては、液晶ディスプレイ用カラーフィルタの製造における色材噴射装置、有機ＥＬディスプレイ、ＦＥＤ（面発光ディスプレイ）等の製造における電極形成装置またはバイオチップ製造に使用する試料噴射ヘッド等もあげられる。
【００５１】
また、本発明の技術的範囲は上記実施の形態に記載の範囲には限定されない。上記実施の形態に、多様な変更または改良を加え得ることは当業者に明らかである。その様な変更または改良を加えた形態も本発明の技術的範囲に含まれ得ることが、特許請求の範囲の記載から明らかである。
【図面の簡単な説明】
【００５２】
【図１】インクジェット式記録装置１０全体の構造を概観する斜視図。
【図２】インクジェット式記録装置１０の主に搬送機構２０を抜き出した分解斜視図。
【図３】排出部１６０を部分的に拡大して示す図。
【図４】排出部１６０を、対向従動ローラ２３２と平行な鉛直面で切った縦断面図。
【図５】排出従動ローラの形状を単独で示す斜視図。
【図６】インクジェット式記録装置１０の制御部３００の構造を示す模式図。
【符号の説明】
【００５３】
１０  インクジェット式記録装置、２０  搬送機構、１００  下ケース、１１０  上ケース、１２０  ペーパサポート、１３０  排出トレー、１４０  プラテン、１５０  搬送部、１６０  排出部、１７０  キャリッジ、１７２  記録ヘッド、１８０  記録用紙、２１０  給送ローラ、２１２  給送従動ローラ、２２０  搬送駆動ローラ、２２２  搬送従動ローラ、２３０  排出駆動ローラ、２３１  軸、２３２  対向従動ローラ、２３３  弾性ローラ、２３４  独立従動ローラ、２３５  フレーム、２３６  樹脂製円盤部、２３７  軸穴、２３８  金属製円盤部、２３９  当接部、２４０  モータ、３００  制御部、３０１  ユーザ、３１０  中央制御部、３１１  個別制御部、３１２  ハードウェア・スイッチ、３１４  印刷量カウンタ、３１６  センサ類、３１８  内蔵プログラム、３２０  搬送制御部、３３０  キャリッジ制御部、３４０  記録ヘッド制御部、３５０  給送部、３６０  キャリッジモータ、３７０  記録ヘッド駆動部
【図１】
2006297723.tif 000003
【図２】
2006297723.tif 000004
【図３】
2006297723.tif 000005
【図４】
2006297723.tif 000006
【図５】
2006297723.tif 000007
【図６】
2006297723.tif 000008